【手続補正書】
【提出日】平成16年2月23日(2004.2.23)
【手続補正１】
【補正対象書類名】明細書
【補正対象項目名】特許請求の範囲
【補正方法】変更
【補正の内容】
【特許請求の範囲】
【請求項１】
一般式
【化１】
1998109981.tif 000001
［式中、Ｒ1はハロゲン原子で置換されていてよいメチル基を示し、Ｒ2、Ｒ3及びＲ4は同一又は異なって水素原子又は炭素数３乃至２５個の脂肪族アシル基を示し、Ｗは水素原子又はエステル残基を示す。但し、Ｒ1がメチル基であり、かつ、Ｒ2、Ｒ3、Ｒ4及びＷが水素原子である場合を除く。］で表される化合物又はその薬理上許容される塩。
【請求項２】
請求項１に記載された化合物において、Ｒ1が、フッ素原子で置換されていてもよいメチル基である化合物又はその薬理上許容される塩。
【請求項３】
請求項１に記載された化合物において、Ｒ1が、メチル、モノフルオロメチルまたはジフルオロメチル基である化合物又はその薬理上許容される塩。
【請求項４】
請求項１に記載された化合物において、Ｒ1が、メチル基である化合物又はその薬理上許容される塩。
【請求項５】
請求項１乃至４のうちいづれか１項に記載された化合物において、Ｒ2が、水素原子又は炭素数６乃至２５個の脂肪族アシル基である化合物又はその薬理上許容される塩。
【請求項６】
請求項１乃至４のうちいづれか１項に記載された化合物において、Ｒ2が、水素原子又は炭素数６乃至２０個の脂肪族アシル基である化合物又はその薬理上許容される塩。
【請求項７】
請求項１乃至４のうちいづれか１項に記載された化合物において、Ｒ2が、水素原子、ヘキサノイル、オクタノイル、デカノイル、ドデカノイル、ミリストイル、パルミトイル又はステアロイル基である化合物又はその薬理上許容される塩。
【請求項８】
請求項１乃至７のうちいづれか１項に記載された化合物において、Ｒ3が、水素原子又は炭素数６乃至２５個の脂肪族アシル基である化合物又はその薬理上許容される塩。
【請求項９】
請求項１乃至７のうちいづれか１項に記載された化合物において、Ｒ3が、水素原子又は炭素数６乃至２０個の脂肪族アシル基である化合物又はその薬理上許容される塩。
【請求項１０】
請求項１乃至７のうちいづれか１項に記載された化合物において、Ｒ3が、水素原子、ヘキサノイル、オクタノイル、デカノイル、ドデカノイル、ミリストイル、パルミトイル又はステアロイル基である化合物又はその薬理上許容される塩。
【請求項１１】
請求項１乃至１０のうちいづれか１項に記載された化合物において、Ｒ4が、水素原子又は炭素数６乃至２５個の脂肪族アシル基である化合物又はその薬理上許容される塩。
【請求項１２】
請求項１乃至１０のうちいづれか１項に記載された化合物において、Ｒ4が、水素原子又は炭素数６乃至２０個の脂肪族アシル基である化合物又はその薬理上許容される塩。
【請求項１３】
請求項１乃至１０のうちいづれか１項に記載された化合物において、Ｒ4が、水素原子、ヘキサノイル、オクタノイル、デカノイル、ドデカノイル、ミリストイル、パルミトイル又はステアロイル基である化合物又はその薬理上許容される塩。
【請求項１４】
請求項１乃至４のうちいづれか１項に記載された化合物において、Ｒ2が、炭素数３乃至２５個の脂肪族アシル基であり、Ｒ3及びＲ4が水素原子である化合物又はその薬理上許容される塩。
【請求項１５】
請求項１乃至４のうちいづれか１項に記載された化合物において、Ｒ2が、炭素数６乃至２５個の脂肪族アシル基であり、Ｒ3及びＲ4が水素原子である化合物又はその薬理上許容される塩。
【請求項１６】
請求項１乃至４のうちいづれか１項に記載された化合物において、Ｒ2が、炭素数６乃至２０個の脂肪族アシル基であり、Ｒ3及びＲ4が水素原子である化合物又はその薬理上許容される塩。
【請求項１７】
請求項１乃至４のうちいづれか１項に記載された化合物において、Ｒ2が、ヘキサノイル、オクタノイル、デカノイル、ドデカノイル、ミリストイル、パルミトイル又はステアロイル基であり、Ｒ3及びＲ4が水素原子である化合物又はその薬理上許容される塩。
【請求項１８】
請求項１乃至１７のうちいづれか１項に記載された化合物において、Ｗが、水素原子又は炭素数１乃至１８個のアルキル基である化合物又はその薬理上許容される塩。
【請求項１９】
請求項１乃至１７のうちいづれか１項に記載された化合物において、Ｗが、水素原子である化合物又はその薬理上許容される塩。
【請求項２０】
請求項１乃至１７のうちいづれか１項に記載された化合物において、Ｗが、エステル残基である化合物又はその薬理上許容される塩。
【請求項２１】
請求項１乃至１７のうちいづれか１項に記載された化合物において、Ｗが、炭素数６乃至１８個のアルキル基である化合物又はその薬理上許容される塩。
【請求項２２】
請求項１乃至４のうちいづれか１項に記載された化合物において、Ｒ2、Ｒ3及びＲ4が水素原子であり、Ｗがエステル残基である化合物。
【請求項２３】
請求項１乃至４のうちいづれか１項に記載された化合物において、Ｒ2、Ｒ3及びＲ4が水素原子であり、Ｗが炭素数６乃至１８個のアルキル基である化合物又はその薬理上許容される塩。
【請求項２４】
請求項１に記載された化合物において、Ｒ1がフッ素原子で置換されていてもよいメチル基であり、Ｒ2が炭素数３乃至２５個の脂肪族アシル基であり、Ｒ3及びＲ4が水素原子であり、Ｗが水素原子又はエステル残基である化合物又はその薬理上許容される塩。
【請求項２５】
請求項１に記載された化合物において、Ｒ1がメチル基であり、Ｒ2が炭素数６乃至２５個の脂肪族アシル基であり、Ｒ3及びＲ4が水素原子であり、Ｗが水素原子又は炭素数１乃至１８個のアルキル基である化合物又はその薬理上許容される塩。
【請求項２６】
請求項１に記載された化合物において、Ｒ1がメチル基であり、Ｒ2が炭素数６乃至２０個の脂肪族アシル基であり、Ｒ3、Ｒ4及びＷが水素原子である化合物又はその薬理上許容される塩。
【請求項２７】
請求項１に記載された化合物において、Ｒ1がフッ素原子で置換されていてもよいメチル基であり、Ｒ2、Ｒ3及びＲ4が水素原子であり、Ｗがエステル残基である化合物又はその薬理上許容される塩。
【請求項２８】
請求項１に記載された化合物において、Ｒ1がメチル基であり、Ｒ2、Ｒ3及びＲ4が水素原子であり、Ｗが炭素数６乃至１８個のアルキル基である化合物。
【請求項２９】
請求項１に記載された化合物において、下記の化合物群から選択される化合物又はその薬理上許容される塩。
５−アセトアミド−２，３，４，５−テトラデオキシ−４−グアニジノ−９−Ｏ−ヘキサノイル−Ｄ−グリセロ−Ｄ−ガラクト−ノン−２−エノピラノソン酸
５−アセトアミド−２，３，４，５−テトラデオキシ−４−グアニジノ−９−Ｏ−オクタノイル−Ｄ−グリセロ−Ｄ−ガラクト−ノン−２−エノピラノソン酸
５−アセトアミド−２，３，４，５−テトラデオキシ−４−グアニジノ−９−Ｏ−デカノイル−Ｄ−グリセロ−Ｄ−ガラクト−ノン−２−エノピラノソン酸
５−アセトアミド−２，３，４，５−テトラデオキシ−４−グアニジノ−９−Ｏ−ドデカノイル−Ｄ−グリセロ−Ｄ−ガラクト−ノン−２−エノピラノソン酸
５−アセトアミド−２，３，４，５−テトラデオキシ−４−グアニジノ−９−Ｏ−ミリストイル−Ｄ−グリセロ−Ｄ−ガラクト−ノン−２−エノピラノソン酸
５−アセトアミド−２，３，４，５−テトラデオキシ−４−グアニジノ−９−Ｏ−パルミトイル−Ｄ−グリセロ−Ｄ−ガラクト−ノン−２−エノピラノソン酸
５−アセトアミド−２，３，４，５−テトラデオキシ−４−グアニジノ−９−Ｏ−ステアロイル−Ｄ−グリセロ−Ｄ−ガラクト−ノン−２−エノピラノソン酸
５−アセトアミド−２，３，４，５−テトラデオキシ−４−グアニジノ−Ｄ−グリセロ−Ｄ−ガラクト−ノン−２−エノピラノソン酸ヘキシル
５−アセトアミド−２，３，４，５−テトラデオキシ−４−グアニジノ−Ｄ−グリセロ−Ｄ−ガラクト−ノン−２−エノピラノソン酸ミリスチル
５−アセトアミド−２，３，４，５−テトラデオキシ−４−グアニジノ−Ｄ−グリセロ−Ｄ−ガラクト−ノン−２−エノピラノソン酸セチル
５−アセトアミド−２，３，４，５−テトラデオキシ−４−グアニジノ−Ｄ−グリセロ−Ｄ−ガラクト−ノン−２−エノピラノソン酸ステアリル